(57)【特許請求の範囲】
【請求項１】
座部及び背もたれ部を設けてなる椅子本体が床部上に設置してある施設の前記床部に開設された吹出し口から温度調整された温調空気を流出させて、前記施設の温度を調整する空調設備の前記吹出し口に嵌合される吹出し口具において、
前記床部の椅子本体に対向する位置に開設された吹出し口に嵌合され、温調空気を、当該椅子本体の背もたれ部に沿って立ち上がるように流出させるとともに、当該椅子本体の座部の下側領域に流出させるようになした環状の吹出し口具本体を具備し、
当該吹出し口具本体には、吹出し口具本体の中心軸の軸長方向へ温調空気を流出させる第１領域と、該第１領域から流出された温調空気と交差するように前記中心軸に対して傾斜した方向へ温調空気を流出させる第２領域とが設けてあり、吹出し口具本体は第１領域が前記椅子本体の背もたれ部側に設置され、第２領域が前記椅子本体の座部側に配置されるようにしてあり、
前記吹出し口具本体における第２領域及び第１領域の大部分が、吹出し口に対向する椅子本体の背もたれ部背面の下端から垂下した鉛直線より当該椅子本体の座部側に位置し、前記吹出し口具本体における第１領域の残部が、前記鉛直線から当該椅子本体の背もたれ部背面側へ所定寸法だけ突出した位置にあり、
前記吹出し口具本体の第２領域から流出された温調空気の一部が、椅子本体の背もたれ部背面の下端近傍の部分及び座部の下面に当たることを
特徴とする吹出し口具。
【請求項２】
前記第１領域には帯状の複数の第１羽根部材が吹出し口具本体の径方向へ適宜の間隔で設けてあり、
前記第２領域には帯状の複数の第２羽根部材が吹出し口具本体の径方向へ適宜の間隔で設けてあり、
各第２羽根部材は、第２領域から流出される温調空気が前記吹出し口具本体の中心軸と平行な軸に対して１５°以上３０°以下の適宜角度で交差するようになしてある、
請求項１記載の吹出し口具。
【請求項３】
相隣る第１羽根部材の間隙、及び/又は相隣る第２羽根部材の間隙には、当該間隙を複数の部分に分割するセパレータが設けてある、
請求項１又は２に記載の吹出し口具。
【請求項４】
前記吹出し口具本体内に流入される温調空気を整流する整流用筒体を更に備え、
該整流用筒体の一端側に前記吹出し口具本体が配設してあり、該整流用筒体内を通過した温調空気が吹出し口具本体から流出されるようになしてある、
請求項１ないし３のいずれかに記載の吹出し口具。
【請求項５】
前記整流用筒体の他端側に整流用筒体に流入された温調空気の流れを邪魔する邪魔板が配設してあり、該邪魔板によって整流用筒体に流入された温調空気を均一化するようになしてある、
請求項４記載の吹出し口具。
【請求項６】
座部及び背もたれ部を設けてなる複数の椅子本体が床部上に設置してある施設の前記床部に複数の吹出し口が開設してあり、各吹出し口にそれぞれ嵌合させた吹出し口具から温度調整された温調空気を流出させて当該施設内の温度を調整する空調設備において、
前記各吹出し口は床部の各椅子本体に対向する位置にそれぞれ開設してあり、
請求項１ないし５のいずれかに記載の吹出し口具を備えることを
特徴とする空調設備。
【請求項７】
前記各吹出し口はそれぞれ、当該吹出し口に嵌合された吹出し口具の吹出し口具本体の周縁の一部が、吹出し口に対向する椅子本体の背もたれ部背面の下端から垂下した鉛直線より当該椅子本体の座部側に位置し、前記吹出し口具本体の周縁の他部が、前記鉛直線から当該椅子本体の背もたれ部背面側へ略０．５ｃｍ以上３．５ｃｍ以下突出するように開設してある、
請求項６記載の空調設備。
【発明の詳細な説明】
【技術分野】
【０００１】
本発明は、複数の座席がタンデムに配設された床に開設された吹出し口から温度調整された温調空気を流出させて、前記座席の周囲の温度を調整する空調設備に用いられる吹出し口具、及び該吹出し口具を備える空調設備に関する。
【背景技術】
【０００２】
劇場、コンサートホール、映画館、又は競技場等の施設にあっては、比較的大きな空間内の特定位置に配置された複数座席の周囲の温度を効率的に調整することが要求されている。そのため、後記する特許文献１には次のような設備が提案されている。
【０００３】
図１１は特許文献１に開示された空調設備の構成を説明する説明図であり、図中、Ｇは床部である。床部Ｇ上には２本の脚８１，８１が距離を隔てて立設してあり、これらの脚８１，８１を横架する横架材８２が両脚８１，８１によって支持されている。この横架材８２上には複数の椅子本体１１０，１１０，…が各椅子本体１１０，１１０，…の幅方向へ所定距離を隔てて配置してある。各椅子本体１１０，１１０，…は両側に配した支柱８３，８３，…によって支持されており、各支柱８３，８３，…はそれぞれ前記横架材８２に固定してある。
【０００４】
一方、床部Ｇの下側領域は温度調整された空気を一時的に貯留するチャンバ９０になしてあり、該チャンバ９０には図示しないダクトが連結してあり、該ダクトを通じて冷暖房機から温度調整された温調空気が流入されるようになっている。
【０００５】
床部Ｇの椅子本体１１０，１１０，…が設置されていない通路部分には前記チャンバ９０に連通する複数（図１１にあってはその内の１つが示してある。）の吹出し口８０が開設してあり、各吹出し口８０には吹出し口具１００が嵌合してある。吹出し口具１００は吹出し口８０に係合する環状のフレーム部材１０１の内部に、風向きを調節する長方形板状の複数の羽根部材１０２，１０２，…が距離を隔てて互いに平行に架設してある。各羽根部材１０２，１０２，…の姿勢は、その長辺をフレーム部材１０１の径方向に、その短辺をフレーム部材１０１の中心軸と平行な方向になるようになしてあり、これによってチャンバ９０内流入された空気は吹出し口具１００から鉛直上方へ流出される。
【０００６】
このような空調設備にあっては、チャンバ９０によって一時的に貯留された空気が吹出し口具１００から徐々に流出されるため、前記各椅子本体１１０，１１０，…の周囲に留まって当該領域の温度を調整することができる。
【先行技術文献】
【特許文献】
【０００７】
【特許文献１】特開２００４−１６６９２８号公報
【発明の概要】
【発明が解決しようとする課題】
【０００８】
しかしながらこのような従来の空調設備にあっては床部Ｇの椅子本体１１０，１１０，…が設置されていない通路部分に配設された吹出し口具１００から鉛直上方へ、温度調整された空気が流出するため、当該空気が椅子本体１１０，１１０，…に着座した使用者の脚部に直接当たり、使用者に不快感を与えるという問題があった。
【０００９】
本発明は、斯かる事情に鑑みてなされたものであり、床吹出し型であっても使用者に不快感を与えることを可及的に防止することができる吹き出口具、及び該吹き出口具を備える空調設備を提供する。
【課題を解決するための手段】
【００１０】
（１）本発明に係る吹出し口具は、座部及び背もたれ部を設けてなる椅子本体が床部上に設置してある施設の前記床部に開設された吹出し口から温度調整された温調空気を流出させて、前記施設の温度を調整する空調設備の前記吹出し口に嵌合される吹出し口具において、前記床部の椅子本体に対向する位置に開設された吹出し口に嵌合された場合、温調空気を、当該椅子本体の背もたれ部に沿って立ち上がるように流出させるとともに、当該椅子本体の座部の下側領域に流出させるようになした環状の吹出し口具本体を具備することを特徴とする。
【００１１】
本発明の吹出し口具にあっては、座部及び背もたれ部を設けてなる椅子本体が床部上に設置してある施設において、床部に開設された吹出し口から温度調整された温調空気を流出させて、施設の温度を調整するに当たって、床部の椅子本体に対向する位置に開設された吹出し口に嵌合される吹出し口具本体を具備している。
【００１２】
この吹出し口具本体は環状をなしており、温調空気を、当該吹出し口具に対向する椅子本体の背もたれ部に沿って立ち上がるように流出させるとともに、椅子本体の座部の下側領域に流出させるようになっている。
【００１３】
このように吹出し口具本体から温調空気を、当該吹出し口具本体に対向する椅子本体の背もたれ部に沿って立ち上がるように流出させると、この温調空気はコアンダ効果によって椅子本体の背面側に誘導され当該椅子本体の後方に配置された他の椅子本体の周囲の領域に拡散され、これによって当該領域の温度が調整される。
【００１４】
このとき、椅子本体の座部の下側領域の雰囲気が誘引されるが、本発明の吹出し口具に備えられた吹出し口具本体から温調空気を、前記椅子本体の座部の下側領域に流出させるようになっており、これによって座部の下側領域に流出された温調空気が誘引されるため、椅子本体の背もたれ部に沿って立ち上がる温調空気に温調されていない雰囲気が混入することが防止され、前述した他の椅子本体に座した使用者に不快感を与えることが防止される。
【００１５】
一方、椅子本体の座部の下側領域に流出された温調空気によって当該領域の温度が調整されるため、当該椅子本体に座した使用者の足元の温度と、上半身の周囲の温度との差が小さい。従って、当該使用者に温度差による不快感を与えることが可及的に防止される。更に、椅子本体の座部の下側領域に流出された温調空気は上述したように誘引されるため、当該温調空気は前記椅子本体に座した使用者の足元へは僅かしか到達せず、当該使用者の足元に気流による不快感を与えることが可及的に防止される。
【００１６】
（２）また、本発明に係る吹出し口具は必要に応じて、前記吹出し口具本体には、吹出し口具本体の中心軸の軸長方向へ温調空気を流出させる第１領域と、該第１領域から流出された温調空気と交差するように温調空気を流出させる第２領域とが設けてあり、吹出し口具本体は第１領域が前記椅子本体の背もたれ部側に設置され、第２領域が前記椅子本体の座部側に配置されるようにしてあることを特徴とする。
【００１７】
本発明の吹出し口具にあっては、前記吹出し口具本体には、吹出し口具本体の中心軸の軸長方向へ温調空気を流出させる第１領域が設けてあり、吹出し口具本体が床部に配設された場合、第１領域から鉛直方向へ温調空気が流出される。
【００１８】
また、吹出し口具本体には、前記第１領域から流出された温調空気と交差するように温調空気を流出させる第２領域も設けてあり、前記第１領域から流出された温調空気は、第２領域から流出された温調空気によって所定方向へ押し出される。
【００１９】
この吹出し口具本体は第１領域が前記椅子本体の背もたれ部側に設置され、第２領域が前記椅子本体の座部側に配置されるようにしてあり、これによって吹出し口具本体の第１領域及び第２領域から流出された温調空気はその大部分が椅子本体の背もたれ部に沿って立ち上がる。そして、コアンダ効果によって椅子本体の背面側に誘導され当該椅子本体の後方に配置された他の椅子本体の周囲の領域に拡散され、これによって当該領域の温度が調整される。
【００２０】
一方、吹出し口具本体の第２領域から流出された温調空気の一部は対向する椅子本体の座部の裏面又は背もたれ部の下端部分に当たって当該座部の下側領域に流れ、前述した如くその大部分が椅子本体の背もたれ部に沿って立ち上がる温調空気に誘引される。
【００２１】
従って、前同様、当該椅子本体の後方に配置された他の椅子本体に座した使用者の足元に不快感を与えることなく、椅子本体に座した使用者の足元の温度と、上半身の周囲の温度との差を小さくして、使用者に温度差による不快感を与えることを可及的に防止することができる。
【００２２】
（３）更に、本発明に係る吹出し口具は必要に応じて、前記第１領域には帯状の複数の第１羽根部材が吹出し口具本体の径方向へ適宜の間隔で設けてあり、前記第２領域には帯状の複数の第２羽根部材が吹出し口具本体の径方向へ適宜の間隔で設けてあり、各第２羽根部材は、第２領域から流出される温調空気が前記吹出し口具本体の中心軸と平行な軸に対して１５°以上３０°以下の適宜角度で交差するようになしてあることを特徴とする。
【００２３】
本発明の吹出し口具にあっては、吹出し口具本体の第１領域には、帯状の複数の第１羽根部材が吹出し口具本体の径方向へ適宜の間隔で設けてあり、吹出し口具本体が床部に配設された場合、第１領域から鉛直方向へ温調空気が流出される。
一方、吹出し口具本体の第２領域にも、帯状の複数の第２羽根部材が吹出し口具本体の径方向へ適宜の間隔で設けてある。
【００２４】
これら第２羽根部材は、第２領域から流出される温調空気が前記吹出し口具本体の中心軸と平行な軸に対して１５°以上３０°以下の適宜角度で交差するようになしてあり、従って、第１領域から流出される温調空気と第２領域から流出される温調空気とは１５°以上３０°以下の適宜角度で交差する。
【００２５】
第２羽根部材によって第２領域から流出される温調空気を第１領域から流出される温調空気とこのような範囲の角度で交差するように設定することによって、第１領域が前記椅子本体の背もたれ部側に設置され、第２領域が前記椅子本体の座部側に配置されるように吹出し口具本体が床部に配設された場合、吹出し口具本体から流出される温調空気の大部分を椅子本体の背面側に誘導させると共に、第２領域から流出される温調空気の一部を対向する椅子本体の座部の下側領域へ流すことができる。
【００２６】
これによって、前同様、当該椅子本体の後方に配置された他の椅子本体に座した使用者の足元に不快感を与えることなく、椅子本体に座した使用者の足元の温度と、上半身の周囲の温度との差を小さくして、使用者に温度差による不快感を与えることを可及的に防止することができる。
【００２７】
（４）一方、本発明に係る吹出し口具は必要に応じて、相隣る第１羽根部材の間隙、及び/又は相隣る第２羽根部材の間隙には、当該間隙を複数の部分に分割するセパレータが設けてあることを特徴とする。
【００２８】
本発明の吹出し口具にあっては、相隣る第１羽根部材の間隙、及び/又は相隣る第２羽根部材の間隙には、当該間隙を複数の部分に分割するセパレータが設けてあり、相隣る第１羽根部材とセパレータとで囲まれる領域、相隣る第２羽根部材とセパレータとで囲まれる領域によって、相隣る第１羽根部材の各間隙内、及び相隣る第２羽根部材の各間隙内に流入される温調空気が整流される。これによって、吹出し口具から温調空気がより均一に流出されるため、前述した所要の作用をより効果的に得ることができるとともに、温度ムラを低減させることができる。
【００２９】
（５）ところで、本発明に係る吹出し口具は必要に応じて、前記吹出し口具本体内に流入される温調空気を整流する整流用筒体を更に備え、該整流用筒体の一端側に前記吹出し口具本体が配設してあり、該整流用筒体内を通過した温調空気が吹出し口具本体から流出されるようになしてあることを特徴とする。
【００３０】
本発明の吹出し口具にあっては、前記吹出し口具本体内に流入される温調空気を整流する整流用筒体を更に備えている。この整流用筒体の一端側に前記吹出し口具本体が配設してあり、整流用筒体内を通過した温調空気が吹出し口具本体から流出される。つまり、整流用筒体内に流入され、そこを通過する間に整流された温調空気が吹出し口具本体から流出されるのである。
これによって、吹出し口具から温調空気がより均一に流出されるため、前述した所要の作用をより効果的に得ることができるとともに、温度ムラを低減させることができる。
【００３１】
（６）更に、本発明に係る吹出し口具は必要に応じて、前記整流用筒体の他端側に整流用筒体に流入された温調空気の流れを邪魔する邪魔板が配設してあり、該邪魔板によって整流用筒体に流入された温調空気を均一化するようになしてあることを特徴とする。
【００３２】
本発明の吹出し口具にあっては、整流用筒体の他端側に整流用筒体に流入された温調空気の流れを邪魔する邪魔板が配設してある。前述したように整流用筒体の一端側に吹出し口具本体が配設してあり、整流用筒体内に流入された温調空気をその他端側に配置された邪魔板によって均一化し、均一化された温調空気が当該整流用筒体内を通過して吹出し口具本体から流出される。
【００３３】
これによって、例えば温調空気を供給するダクトを整流用筒体に連結した場合であっても、その連結方向に拘らず邪魔板によって均一化された温調空気が吹出し口具本体に供給され、該吹出し口具本体から施設内へ流出されるため、前述した所要の作用を得ることができるとともに、温度ムラを低減させることができる。
【００３４】
（７）本発明に係る空調設備は、座部及び背もたれ部を設けてなる複数の椅子本体が床部上に設置してある施設の前記床部に複数の吹出し口が開設してあり、各吹出し口にそれぞれ嵌合させた吹出し口具から温度調整された温調空気を流出させて当該施設内の温度を調整する空調設備において、前記各吹出し口は床部の各椅子本体に対向する位置にそれぞれ開設してあり、前述したいずれかに記載の吹出し口具を備えることを特徴とする。
【００３５】
本発明の空調設備にあっては、座部及び背もたれ部を設けてなる複数の椅子本体が床部上に設置してある施設の前記床部に複数の吹出し口が開設してあり、各吹出し口にそれぞれ嵌合させた吹出し口具から温度調整された温調空気を流出させて当該施設内の温度を調整する。そして、床部の各椅子本体に対向する位置にそれぞれ吹出し口が開設してあり、各吹出し口には前述したいずれかに記載の吹出し口具が嵌合してある。従って、前述した如き各作用効果を得ることができる。
【００３６】
（８）本発明に係る空調設備は必要に応じて、前記各吹出し口はそれぞれ、当該吹出し口に嵌合された吹出し口具の吹出し口具本体の周縁の一部が、吹出し口に対向する椅子本体の背もたれ部の下端から垂下した鉛直線より当該椅子本体の座部側に位置し、前記吹出し口具本体の周縁の他部が、前記鉛直線から当該椅子本体の背もたれ部側へ略０．５ｃｍ以上３．５ｃｍ以下突出するように開設してあることを特徴とする。
【００３７】
本発明の空調設備にあっては、各吹出し口はそれぞれ、当該吹出し口に嵌合された吹出し口具の吹出し口具本体の周縁の一部が、吹出し口に対向する椅子本体の背もたれ部の下端から垂下した鉛直線より当該椅子本体の座部側に位置し、前記吹出し口具本体の周縁の他部が、前記鉛直線から当該椅子本体の背もたれ部側へ略０．５ｃｍ以上３．５ｃｍ以下突出するように開設してあるため、所要の空間領域へ温調空気を流すことができ、後方の使用者にも不快感を与える虞がない。また、吹出し口に対向する椅子本体の座部の下側領域にも適宜量の温調空気が流出されるため、当該椅子本体に着座した使用者に不快感を与えることなく、温調空気が漂う温調領域が形成される。
【図面の簡単な説明】
【００３８】
【図１】本発明に係る空調設備の要部構成を示す正面図である。
【図２】本発明に係る空調設備の要部構成を示す側面図である。
【図３】本発明に係る空調設備の要部構成を示す平面図である。
【図４】図１に示した吹出し口具本体を示す平面図である。
【図５】図４に示した吹出し口具本体のＶ−Ｖ線による断面図である。
【図６】図２に示した空調設備の部分拡大図である。
【図７】本発明に係る空調設備によって空調を実施している状態を説明する説明図である。
【図８】他の実施形態に係る吹出し口具の側断面図である。
【図９】他の実施形態に係る吹出し口具の側断面図である。
【図１０】図９に示した邪魔板の平面図である。
【図１１】特許文献１に開示された空調設備の構成を説明する説明図である。
【発明を実施するための形態】
【００３９】
（本発明の実施形態）
図１〜図３は本発明に係る空調設備の要部構成を示す正面図、側面図及び平面図であり、これらの図中、Ｇは床部である。
図１〜図３に示したように、床部Ｇ上には、使用者が着座する座部１４及び背もたれ部１７を備える複数の椅子本体１１，１１，…が各椅子本体１１，１１，…の幅方向へ適宜の間隙を隔てて直線状に配置してあり、各椅子本体１１，１１，…はそれぞれ、床部Ｇに所定距離を隔てて立設した支持部材１８，１８，…によってその両側を支持されている。また、相隣る椅子本体１１，１１，…の間隙及び両端の椅子本体１１（，１１）の外側にはそれぞれ、使用者の肘を担持する肘掛部１９,１９，…が床部Ｇと略平行に設けてある。
【００４０】
前述した座部１４は、底板部１２に座クッション部１３を設けてなり、本実施形態にあっては相隣る支持部材１８，１８によって座部１４を、起立した収納姿勢と横臥した着座姿勢との間で回動自在に支持してある。また、背もたれ部１７は、相隣る支持部材１８，１８に、適宜のリクライニング角度になるように固定した背板部１５の前面に背クッション部１６を設けてなり、背板部１５の下端は、着座姿勢の座部１４の底板部１２より所定寸法だけ床部Ｇ側へ延出させてある。
なお、映画館、劇場又はコンサートホールにあっては、床部Ｇから椅子本体１１の背板部１５下端までの高さ寸法は１６ｃｍ〜２４ｃｍ程度であり、略１７ｃｍが最も多い。
【００４１】
床部Ｇの下側領域は温度調整された空気を一時的に貯留するチャンバ９になしてあり、該チャンバ９には図示しないダクトが連結してあり、該ダクトを通じて冷暖房機から温度調整された温調空気がチャンバ９内へ流入されるようになっている。
【００４２】
床部Ｇの各椅子本体１１，１１，…に対向する適宜位置にはそれぞれ、前記チャンバ９に連通する複数の吹出し口８，８，…が開設してあり、各吹出し口８，８，…にはそれぞれ吹出し口具１を構成する吹出し口具本体２，２，…が嵌合してある。そして、チャンバ９内の温調空気は吹出し口具本体２，２，…からそれぞれ３０ｍ3／ｈ程度から７０ｍ3／ｈ程度の吹出し量で流出されるようになっている。
【００４３】
図４は図１に示した吹出し口具本体２を示す平面図であり、図５は図４に示した吹出し口具本体２のＶ−Ｖ線による断面図である。
両図に示したように、吹出し口具本体２は、適宜の長さ寸法を有する筒状のフレーム部材２０の一端縁に、平帯環状のフランジ部２３をフレーム部材２０の中心軸と直交するように立設してなり、フレーム部材２０を前述した吹出し口８に内嵌させ、フランジ部２３を床部Ｇの吹出し口８の周辺部分に係合させるようになっている（図１参照）。
【００４４】
フレーム部材２０内は、フレーム部材２０の中心軸の軸長方向へ温調空気を流出させるための複数の第１羽根部材２４，２４，…が架設された第１領域２１と、前記中心軸に対して傾斜した方向へ温調空気を流出させるための複数の第２羽根部材２５，２５，…が架設された第２領域２２とに分けられている。すなわち、フレーム部材２０内はその径方向において第１領域２１と第２領域２２との２領域に分割されている。
【００４５】
第１羽根部材２４，２４，…はフレーム部材２０の内周面に平帯状の部材を、その短辺（幅）方向がフレーム部材２０の中心軸と平行な姿勢になしてあり、フレーム部材２０の直径方向に設定される基準線の長手方向へ適宜距離を隔てて、前記基準線と直交するように架設してある。
【００４６】
また、第２羽根部材２５，２５，…はフレーム部材２０の内周面に、前記基準線の第１羽根部材２４，２４，…とは反対側の長手方向へ適宜距離を隔てて、前記基準線と直交するように架設してある。そして、床部Ｇから椅子本体１１の底板部１２（いずれも図２参照）までの高さ寸法が略１５ｃｍ〜略２０ｃｍである場合、各第２羽根部材２５，２５，…は平帯状の部材を、前記フレーム部材２０の一端側において、第２羽根部材２５，２５，…の短辺（幅）方向の軸とフレーム部材２０の中心軸と平行な軸とがなす角αの角度が１５°以上３０°以下、好ましくは１８°以上２０°以下になる姿勢になしてあり、これによって第１羽根部材２４，２４，…を設けた第１領域２１から流出される温調空気を所要方向へ押し出すようになっている。
【００４７】
なお、後述する如く吹出し口具本体２は第１領域２１が対向する椅子本体１１の背板部１５側に位置し、第２領域２２が対向する椅子本体１１の座部１４側に位置するように配されるようになっており、従って第２領域２２から流出された温調空気は対向する椅子本体１１の背板部１５側、すなわち椅子本体１１の背面方向へ流れる。
【００４８】
ここで、前述した角αの角度が１５°より小さい場合は、第１領域２１から流出される温調空気を押し出す作用が小さ過ぎるため、吹出し口に対向する椅子本体の座部１４（共に図２参照）の下側領域において、椅子本体１１の前方へ向かう温調空気の流速が所要値を超えるので、当該椅子本体１１に着座した使用者に不快感を与える虞がある。一方、前記角αの角度が３０°を超える場合は、第１領域２１から流出される温調空気を押し出す作用が大き過ぎるため、所要の空間領域へ温調空気を流すことができず、後方の使用者に不快感を与える虞がある。
【００４９】
一方、前記角αの角度を１５°以上３０°以下になした場合、第１領域２１から流出される温調空気を所要方向へ押し出すと共に、コアンダ効果により吹出し口に対向する椅子本体１１の背板部１５に沿って所要の範囲へ温調空気を流すことができるため、当該椅子本体１１に着座した使用者に不快感を与えることなく、後方の使用者にも不快感を与えることがない。
【００５０】
また、吹出し口に対向する椅子本体１１の座部１４の下側領域にも適宜量の温調空気が流出されるため、当該椅子本体１１に着座した使用者に不快感を与えることなく、温調空気が漂う温調領域が形成される。一方、大部分の温調空気は前述したコアンダ効果により当該椅子本体１１の背板部１５に沿って所要の範囲へ誘導されるが、これによって座部１４の下側領域の雰囲気が誘引される。このとき、前述したように座部１４の下側領域に形成された温調領域から温調空気が誘引されるため、背板部１５に沿って所要の範囲へ誘導される温調空気に温調されていない雰囲気が混入することが可及的に防止される。従って、後方の使用者にも不快感を与えることが防止される。
【００５１】
更に、角αの角度を１８°以上２０°以下になした場合、当該椅子本体１１（図２参照）と後方の他の椅子本体との間の距離を他の場合より短くなしても、他の椅子本体に座した使用者に不快感を与えることを防止することができる。
【００５２】
なお、角αの角度は第２羽根部材２５，２５，…別に異ならせてもよい。
なお、本実施の形態では第１羽根部材２４，２４，…及び第２羽根部材２５，２５，…はいずれも平帯状になした場合について説明したが、本発明はこれに限らず、端面視がく字形又は円弧形等、種々の形になした帯状の第１羽根部材又は第２羽根部材を用いることができる。
【００５３】
この場合、当該第１羽根部材を設けた第１領域２１から温調空気が、フレーム部材２０の中心軸の軸長方向へ流出されるようになし、当該第２羽根部材を設けた第２領域２２から流出された温調空気が、フレーム部材２０の中心軸と平行な軸に対して、即ち前記第１領域から流出された温調空気に対して１５°以上３０°以下の角度、好ましくは１８°以上２０°以下の角度で交差するようになせばよい。
【００５４】
ところで、前述した第１領域２１の面積は吹出し口具本体２の開口面積の略５０％〜略１０％が好適であり、従って第２領域２２の面積は吹出し口具本体２の開口面積の略５０％〜略９０％が好適である。
【００５５】
第１領域２１の面積が吹出し口具本体２の開口面積の略１０％より狭い場合は、所要の空間領域へ温調空気を流すことができず、後方の使用者に不快感を与える虞があり、第１領域２１の面積が吹出し口具本体２の開口面積の略５０％より広い場合は、対向する椅子本体１１の座部１４（共に図２参照）の下側領域において、椅子本体１１の前方へ向かう温調空気の流速が所要値を超えるため、当該椅子本体１１に着座した使用者に不快感を与える虞がある。
【００５６】
一方、第１領域２１の面積が吹出し口具本体２の開口面積の略５０％〜略１０％である場合、すなわち第２領域２２の面積が吹出し口具本体２の開口面積の略５０％〜略９０％である場合、当該椅子本体１１に着座した使用者に不快感を与えることなく、所要の空間領域へ温調空気を流すことができるため、後方の使用者にも不快感を与える虞がない。
【００５７】
ところで、本実施形態で示した吹出し口具本体２にあっては、相隣る第１羽根部材２４，２４，…の各間隙、及び相隣る第２羽根部材２５，２５，…の各間隙を複数の部分に分割するセパレータ２６，２６，…がそれぞれ設けてあり、各第１羽根部材２４，２４，…及びセパレータ２６，２６，…、又は各第２羽根部材２５，２５，…及びセパレータ２６，２６，…によって、吹出し口具本体２の内部は格子状に仕切られている。これによって、相隣る第１羽根部材２４，２４，…の各間隙内、及び相隣る第２羽根部材２５，２５，…の各間隙内に流入される温調空気が整流される。
【００５８】
なお、本実施形態ではセパレータ２６，２６，…を設けた場合を示したが、本発明はこれに限らず、セパレータ２６，２６，…を設けていない吹出し口具本体であってもよいことは言うまでもない。
【００５９】
次に、このような吹出し口具本体２の配設位置及び配設方向について説明する。
図６は図２に示した空調設備の部分拡大図である。なお、図中、図２に示した部分に対応する部分には同じ番号を付してその説明を省略する。
【００６０】
図６に示した如く、吹出し口具本体２は第１羽根部材２４，２４，…が椅子本体１１の背板部１５側にあり、第２羽根部材２５，２５，…が椅子本体１１の座部１４側にあるように配され、各第１羽根部材２４，２４，…及び第２羽根部材２５，２５，…は背板部１５の幅方向と平行な方向に向けて配置してある。
【００６１】
そして、吹出し口具本体２は、背板部１５の下端部から鉛直下方へ延出させた線分を鉛直線Ｌとすると、吹出し口具本体２の直径上において、前述した第２領域２２及び第１領域２１の大部分が鉛直線Ｌより座部１４側の位置にあり、第１領域２１の残部が鉛直線Ｌより座部１４とは反対側へ寸法Ｔだけ突出した位置にあるようになしてある。すなわち、吹出し口具本体２のフレーム部材２０の一部が、鉛直線Ｌより椅子本体１１の座部１４側に位置し、フレーム部材２０の他部が、前記鉛直線Ｌより当該椅子本体１１の背板部１５側へ寸法Ｔだけ突出するようになしてある。
【００６２】
ここで、床部Ｇから椅子本体１１の背板部１５の下端までの高さ寸法が１６ｃｍ〜２４ｃｍ程度であり、吹出し口具本体２からの吹出し量が３０ｍ3／ｈ程度以上７０ｍ3／ｈ程度以下である場合、寸法Ｔの値は０．５ｃｍ以上３．５ｃｍ以下であり、より好ましくは略１．２５ｃｍである。寸法Ｔの値が０．５ｃｍ未満の場合、対向する椅子本体１１の座部１４（共に図２参照）の下側領域において、椅子本体１１の前方へ向かう温調空気の流速が所要値を超えるため、当該椅子本体１１に着座した使用者に不快感を与える虞がある。一方、寸法Ｔの値が３．５ｃｍを超えた場合、所要の空間領域へ温調空気を流すことができず、後方の使用者に不快感を与える虞がある。
【００６３】
これに対し、寸法Ｔの値が０．５ｃｍ以上３．５ｃｍ以下の場合、当該椅子本体１１に着座した使用者に不快感を与えることなく、所要の空間領域へ温調空気を流すことができるため、後方の使用者にも不快感を与える虞がない。また、吹出し口に対向する椅子本体１１の座部１４の下側領域にも適宜量の温調空気が流出されるため、当該椅子本体１１に着座した使用者に不快感を与えることなく、温調空気が漂う温調領域が形成され、これによって背板部１５に沿って所要の範囲へ誘導される温調空気に温調されていない雰囲気が混入することが可及的に防止される。従って、後方の使用者にも不快感を与えることが防止される。
【００６４】
更に、寸法Ｔの値が略１．２５ｃｍの場合、当該椅子本体１１（図２参照）と後方の椅子本体との間の距離を他の場合より短くなしても、後方の椅子本体に座した使用者に不快感を与えることを防止することができる。
【００６５】
図７は本発明に係る空調設備によって空調を実施している状態を説明する説明図である。
なお、図中、図６に示した部分に対応する部分には同じ番号を付してある。
【００６６】
前述した如く、チャンバ９内には温調空気が流入されており、チャンバ９内の温調空気は吹出し口具本体２の第１領域２１から鉛直上方へ立ち上がるように流出されようとする。このとき、第１領域２１の鉛直線Ｌより座部１４とは反対側へ突出した部分から流出された温調空気は、コアンダ効果により椅子本体１１の背板部１５に沿って椅子本体１１の背面側上方へ誘導される。
【００６７】
一方、第１領域２１の鉛直線Ｌより座部１４側に位置する部分から流出された温調空気は座部１４へ向かって流出されるが、吹出し口具本体２の第２領域２２から椅子本体１１の背面側へ向う温調空気が流出されるため、両温調空気の大部分は椅子本体１１の背板部１５側へ押し出され、前同様、椅子本体１１の背板部１５に沿って椅子本体１１の背面側上方へ誘導される。
【００６８】
また、吹出し口具本体２の第２領域２２から流出された温調空気の大部分は、椅子本体１１の背板部１５側へ向かい、前同様、椅子本体１１の背板部１５に沿って椅子本体１１の背面側上方へ誘導される。
【００６９】
このようにして椅子本体１１の背面側上方へ誘導された温調空気は拡散等によって当該椅子本体１１の後部に配置された他の椅子本体１１の周囲の第１拡散領域Ｒ１へ拡がり、当該第１拡散領域Ｒ１を所要の温度に調整する。
【００７０】
一方、吹出し口具本体２の第２領域２２から流出された温調空気の一部は椅子本体１１の背板部１５の下端近傍の部分及び座部１４の底板部１２の下面に当たるので、座部１４の下側に温調空気が拡散した第２拡散領域Ｒ２が生成される。
【００７１】
ところで、前述したように吹出し口具本体２から流出された温調空気の大部分は椅子本体１１の背板部１５に沿って椅子本体１１の背面側上方へ誘導されるため、かかる気流によって座部１４の下側の雰囲気が誘引される。このとき、座部１４の下側に温調空気の第２拡散領域Ｒ２が生成されており、当該第２拡散領域Ｒ２の温調空気が誘引されるため、温度が調整されていない雰囲気が誘引されるのを防止することができ、第１拡散領域Ｒ１内の使用者に不快感を与えることが防止される。
【００７２】
一方、椅子本体１１の座部１４の下側領域に流出された温調空気によって第２拡散領域Ｒ２の温度が調整されるため、当該椅子本体１１に座した使用者の足元の温度と、上半身の周囲の温度との差が小さい。従って、当該使用者に温度差による不快感を与えることが可及的に防止される。更に、椅子本体１１の座部１４の下側領域に流出された温調空気は前述した如く椅子本体１１の背板部１５側へ誘引されるため、当該温調空気は椅子本体１１に座した使用者の足元へは僅かしか到達せず、当該使用者の足元に気流による不快感を与えることが可及的に防止される。
なお、吹出し口具本体２から流出される温調空気の量は第１拡散領域Ｒ１が所要の空間範囲になるように設定してある。
【００７３】
なお、本実施形態では吹出し口具本体２は１つのフレーム部材２０内に第１領域２１及び第２領域２２が設けてあるが、本発明はこれに限らず、複数のフレーム部材内に第１羽根部材２４，２４，…又は第２羽根部材２５，２５，…を設け、それらのフレーム部材を組み合わせて第１領域２１及び第２領域２２を備える吹出し口具本体を構成するようにしてもよい。
また、図７では前後の椅子本体１１，１１間に段差が設けてあるが、そのような段差が存在しない平坦な状態であっても前同様の作用及び効果が奏されることは言うまでもない。
【００７４】
（他の実施形態）
図８及び図９は他の実施形態に係る吹出し口具の側断面図であり、いずれも前述したチャンバから供給される温調空気を整流し得るようになしてある。
【００７５】
図８に示した吹出し口具１ａは、前述した吹出し口具本体２、及びチャンバから供給される温調空気の気流を整える整流用筒体５を備えている。
【００７６】
整流用筒体５は、吹出し口具本体２の外径より少し大きい寸法の内径を有する円筒状の筒本体５ａの一端縁に平帯環状のフランジ部５ｂを立設してなり、筒本体５ａの他端近傍の部分は他の部分より外径を縮小させた縮径部５ｃになしてある。
【００７７】
筒本体５ａの一端には前述した吹出し口具本体２が着脱可能に内嵌してあり、内嵌された吹出し口具本体２と筒本体５ａとの間隙には、温調空気の漏出を防止する環状のパッキン７が介装してある。
【００７８】
また、筒本体５ａのフランジ部５ｂには螺子止用の複数の孔が周方向に適宜の間隔で貫通してあり、筒本体５ａを吹出口内へフランジ部５ｂが床部に当接するまで嵌入させ、前記フランジ部５ｂの各孔を貫通させた螺子３０，３０，…を床部に螺着させることによって筒本体５ａを床部に固定するようになしてある。
【００７９】
このような吹出し口具１ａにあっては、温調空気は整流用筒体５を構成する筒本体５ａの他端から内部へ流入し、そこで筒本体５ａの中心軸の軸長方向と平行な方向に整流され、筒本体５ａの一端に嵌合された吹出し口具本体２から流出される。
【００８０】
このようにチャンバ内に供給された温調空気の流れが所要の向きでない場合であっても、整流用筒体５内に流入した温調空気はそこで整流されるため、吹出し口具本体２の第１羽根部材２４，２４，…及び第２羽根部材２５，２５，…に対して温調空気が所要の角度で導入され、所要の第１拡散領域Ｒ１及び第２拡散領域Ｒ２（図７参照）を生成することができる。
【００８１】
更に、図９に示した吹出し口具１ｂにあっては、整流能力を向上させるべく筒本体５ａの他端側の適宜位置に邪魔板６が内嵌してある。
【００８２】
図１０は図９に示した邪魔板６の平面図である。
図１０に示したように、邪魔板６は円板状の基材６０に複数の貫通孔を設けて形成されている。貫通孔の内径は、基材６０の中央領域Ｃに開設した複数の第１貫通孔６１，６１，…を相対的に大きく、中央領域Ｃの周囲に開設した複数の第２貫通孔６２，６２，…を相対に小さくしてある。すなわち、基材６０の外径を９５ｍｍから１５０ｍｍになした邪魔板６を用い、当該基材６０の面積の８％から２０％の中央領域Ｃにおける開口率が略７０％から略１００％になしてあり、かかる中央領域Ｃより外側の周囲領域における開口率が略５０％から略８０％になしてある。
【００８３】
例えば、直径が１００ｍｍの基材６０の場合、第１貫通孔６１の内径を１１ｍｍ×１１ｍｍになし、第２貫通孔６２の内径を５ｍｍ×５ｍｍになすことができる。この場合、図１０に示した如く、基材６０の中心位置に第２貫通孔６２を配し、該第２貫通孔６２の周囲に４つの第１貫通孔６１，６１，６１，６１を均等に配置する。そして、これら第１貫通孔６１，６１，６１，６１を設けた中央領域Ｃから基材６０の周縁近傍の位置までの部分に第２貫通孔６２，６２，…を均等に配置する。
【００８４】
図９に示したように、筒本体５ａに流入する温調空気は筒本体５ａの中央部より筒本体５ａの周縁部において不均一になる場合があるが、前述した邪魔板６を備える吹出し口具１ｂにあっては、筒本体５ａの周縁部において流入された温調空気の通過が邪魔されるので、筒本体５ａの周縁部が不均一に流入された温調空気の流れが均一化され、邪魔板６と平行をなす平面内において略均一化された温調空気が吹出し口具本体２から流出される。
【００８５】
吹出し口具１ｂに流入される温調空気の不均一化は、筒本体５ａに連結したダクト（図示せず）から筒本体５ａ内へ温調空気を供給する際に発生し易いが、かかる場合であっても前述したごとく邪魔板６によって均一化がなされるため、本発明に係る空調設備は、吹出し口具１ｂを構成する筒本体５ａの縮径部５ｃにダクトを連結し、該ダクトから筒本体５ａ内へ温調空気を供給するように構成することもできる。
【００８６】
なお、図８及び図９に示した筒本体５ａにあっては、筒本体５ａの他端側に縮径部５ｃを設けた場合について説明したが、本発明はこれに限らず、筒本体５ａの他端側に縮径部５ｃを設けなくてもよいことは言うまでもない。
【実施例１】
【００８７】
次に、本発明に係る空調設備を用いて空調を実施した場合において、吹出し口具から流出された温調空気の残気流速度を測定した結果について説明する。
次の表は、異なる段差の床部に設置された椅子本体の周囲の複数の位置で残気流速度を測定した結果を示すものである。
【００８８】
なお、吹出し口具として、直径が１００ｍｍであり、第１領域の面積が吹出し口具の開口面積の４５％であり、第２領域が吹出し口具の開口面積の５５％であり、前述した角αが１８°であるものを用いた。また、吹出し口具から流出される温調空気の量は５０ｃｍ3／ｈであり、床部から椅子本体の背板部の下端までの高さは１７ｃｍである。
【００８９】
段差が１８ｃｍ（Ａ）、４０ｃｍ（Ｂ）、４５ｃｍ（Ｃ）及び５４ｃｍ（Ｄ）の床部にそれぞれ椅子本体を設置し、床部から９５ｃｍ上方の位置（ａ）、７５ｃｍ上方の位置（ｂ）、５０ｃｍ上方の位置（ｃ）、及び椅子本体を支持する支持部材の位置（ｄ）において、椅子本体の背板部から異なる離隔位置にて残気流速度をそれぞれ測定した。
【００９０】
【表１】
0005474486.tif 000002
【００９１】
ここで、残気流速度が０．２５ｍ／ｓ以下である場合、使用者に不快感を与えることがないので好適である。従って、座姿勢において、使用者の膝の高さ位置程度である床部から５０ｃｍ上方の位置にあっては、椅子本体の背板部から２０ｃｍ程度離隔した位置における残気流速度が０．２５ｍ／ｓ以下であることが好ましく、使用者の胸部又は頭部の高さ位置程度である床部から７５ｃｍ又は９５ｃｍ上方の位置にあっては、椅子本体の背板部から３０ｃｍ程度離隔した位置における残気流速度が０．２５ｍ／ｓ以下であることが好ましい。また、使用者の脛部高さ位置程度である支持部材の位置にあっては、椅子本体の背板部から可及的に離隔しない位置における残気流速度が０．２５ｍ／ｓ以下であることが好ましい。
表１から明らかな如く、異なる段差（Ａ）〜（Ｄ）において、いずれの高さ位置にあっても上述した残気流速度の好適な条件を満足していた。
【実施例２】
【００９２】
次に、吹出し口具本体に流入する温調空気を整流する邪魔板の効果を比較した結果について説明する。
比較試験は、図９に示した筒本体５ａに吹出し口具本体２及び邪魔板６を設けた吹出し口具（対照例）と、前記邪魔板６を設けていない吹出し口具（比較例）とを用いた以外は実施例１と同様に行った。なお、段差は５４ｃｍになした。
【００９３】
表２は筒本体５ａにダクトを鉛直方向に接続して比較した場合の結果であり、表３は筒本体５ａにダクトを椅子本体の後方から接続して比較した場合の結果であり、表４は筒本体５ａにダクトを椅子本体の側方から接続して比較した場合の結果であり、表５は筒本体５ａにダクトを椅子本体の前方から接続して比較した場合の結果である。
【００９４】
【表２】
0005474486.tif 000003
【００９５】
【表３】
0005474486.tif 000004
【００９６】
【表４】
0005474486.tif 000005
【００９７】
【表５】
0005474486.tif 000006
【００９８】
表２〜表５から明らかなように、残気流速度が０．２５ｍ／ｓ以下である椅子本体の背板部からの距離を比較すると、筒本体５ａにダクトをいずれの方向から接続した場合であっても、対照例の方が比較例より短く、対照例の邪魔板６による優れた整流作用が奏されていた。
【００９９】
また、表２から明らかなように、筒本体５ａに鉛直方向から温調空気が供給される場合であっても邪魔板６による優れた整流作用が奏されていたため、図１〜図３に示した如きチャンバ９が設けてある床部Ｇに開設した吹出し口８に図９に示した如き邪魔板６を備える吹出し口具１ｂを嵌合させてチャンバ９から吹出し口具１ｂ内へ温調空気を直接流入させるように構成した場合にも所要の整流作用が奏される。
【符号の説明】
【０１００】
１    吹出し口具
１ａ  吹出し口具
１ｂ  吹出し口具
２    吹出し口具本体
５    整流用筒体
５ａ  筒本体
６    邪魔板
８    吹出し口
１１    椅子本体
１４    座部
１５    背板部
１７    背もたれ部
１８    支持部材
２０    フレーム部材
２１    第１領域
２２    第２領域
２４    第１羽根部材
２５    第２羽根部材
２６    セパレータ
６１    第１貫通孔
６２    第２貫通孔
Ｇ    床部
【図１】
0005474486.tif 000007
【図２】
0005474486.tif 000008
【図３】
0005474486.tif 000009
【図４】
0005474486.tif 000010
【図５】
0005474486.tif 000011
【図６】
0005474486.tif 000012
【図７】
0005474486.tif 000013
【図８】
0005474486.tif 000014
【図９】
0005474486.tif 000015
【図１０】
0005474486.tif 000016
【図１１】
0005474486.tif 000017